(57)【要約】      （修正有）【課題】小型の無線周波数原子磁力計を提供する。【解決手段】無線周波数原子磁力計は、レーザー、光検出器、蒸気室から成り、蒸気室は、レーザーと光検出器との間のレーザ光の光路にあり、円形の偏光子はレーザーにより発されるレーザ光を円形に分極化させるように構成され、円形に分極化するレーザビームは、蒸気室の原子のスピンが正しい位置に置かれた状態にポンピングし、蒸気室の原子を探査するように構成され、探査することが、ローカル無線周波数フィールドを検出することを包含し少なくとも一つのＤＣフィールド・コイルから成る一組の直流（ＤＣ）フィールド・コイルを更に有し、ＤＣフィールド・コイルのセットは、レーザーにより発されて、蒸気室の方向に差し向けられたレーザ光の光軸に対して４５度で方位付けされるＤＣ磁場を生成するように構成され、ＤＣフィールド・コイルのセットが更に、可調ＤＣ磁気強度を有するように構成される。【選択図】図１Ａ
2015004677.tif 000002
【特許請求の範囲】
【請求項１】
無線周波数原子磁力計（１００、１０１）であって、
レーザー（１１０）と、
光検出器（１５０）と、
前記レーザー（１１０）と前記光検出器（１５０）との間のレーザ光（１１２）の光路にある蒸気室（１３０）と、
レーザーにより発されるレーザ光を円形に分極化させるように構成される円形偏光子（１２０）であって、円形に分極化するレーザビーム（１１２）が、蒸気室（１３０）の原子のスピンが方位付けされた状態にポンピングされ、蒸気室（１３０）の原子を探査するように構成され、前記探査が、ローカル無線周波数フィールドを検出することを包含することを特徴とする、円形偏光子（１２０）と、
少なくとも一つのＤＣフィールド・コイルから成る一組の直流（ＤＣ）フィールドコイル（１４０）と、
を有し、
ＤＣフィールド・コイル（１４０）のセットは、レーザーにより発されて、蒸気室の方向に差し向けられたレーザ光の光軸に対して４５度で方位付けされたＤＣ磁場を生成するように構成され、ＤＣフィールド・コイルのセットが更に、可調ＤＣ磁気強度を有するように構成される、ことを特徴とする無線周波数原子磁力計。
【請求項２】
ＤＣフィールド・コイル（１４０）に適用される電気ＤＣバイアスが掃引されることがありえるように、ＤＣフィールド・コイル（１４０）のセットは構成され、次々にＤＣ磁気強度を掃引することを特徴とする、請求項１に記載の無線周波数原子磁力計（１００、１０１）。
【請求項３】
円形の偏光子（１２０）によって、円形に分極化するレーザ光（１１２）が、ポンプビームおよびプローブ・ビームとして構成されることを特徴とする、請求項１に記載の無線周波数原子磁力計（１００、１０１）。
【発明の詳細な説明】
【技術分野】
【０００１】
[0001]  イメージング・アプリケーション、例えば磁気共鳴映像法、ＭＲＩに関しては同様に、無線周波数（ＲＦ）分光学を用いている材料を検出して、特徴づけることに関し、低フィールド核磁気共鳴（ＬＦ―ＮＭＲ）およびゼロ―フィールドＮＭＲ（別名Ｎｕｃｌｅａｒ  Ｑｕａｄｒｕｐｏｌｅ  Ｒｅｓｏｎａｎｃｅ）が用いられる。典型的に、低フィールドおよび０フィールド測定値は、雑音レベルに従来の、高いフィールドＮＭＲおよびＭＲＩで達成可能であるより低い信号を有するが、同様に、セキュリティ・アプリケーションを有するいくつかを包含して、異なる爆発物および潜在的にいくつかの核および生物学的材料の分光器指紋のような異なる特性を検出するために用いることがありえる。更に、低フィールド技術は、従来の高フィールドＮＭＲおよびＭＲＩのような大きな超電導磁石に関し、必要性を排除する。これによって、潜在的に低フィールドおよびゼロ―フィールドＮＭＲシステムがよりポータブル化、小型化、および低パワー化にすることができる。
【背景技術】
【０００２】
[0002]  原子磁力計は5メガヘルツ（MHz）以下の周波数で検出コイルを介してRF磁場を検出する際に、ノイズの優位性に信号を提供するために、以前に発表された研究で示されている。それらはまた、そのような極低温冷却を必要とする超伝導量子干渉素子（SQUID）磁束計等の他の検出器の代替、携帯性および費用の点で利点を提供する。しかしながら、既存のＲＦ感受性原子磁力計はまだ比較的大きな装置であり、レーザー装置フィールドと原子蒸気の間の相互作用のジオメトリは小型化に関し見込みを制限する。サイズ、重量およびパワーが制限されるアプリケーションに関して、既存の原子磁力計もＳＱＵＩＤｓも、十分なソリューションを提供しない。
【発明の概要】
【課題を解決するための手段】
【０００３】
[0003]  無線周波数原子磁力計は、レーザー、光検出器、蒸気室から成り、蒸気室は、レーザーと光検出器との間のレーザ光の光路にあり、円形の偏光子はレーザーにより発されるレーザ光を円形に分極化させるように構成され、円形に分極化するレーザビームは、蒸気室の原子のスピンが正しい位置に置かれた状態にポンピングし、蒸気室の原子を探査するように構成され、探査することが、ローカル無線周波数フィールドを検出することを包含し少なくとも一つのＤＣフィールド・コイルから成る一組の直流（ＤＣ）フィールド・コイルを更に有し、ＤＣフィールド・コイルのセットは、レーザーにより発されて、蒸気室の方向に差し向けられたレーザ光の光軸に対して４５度で方位付けされるＤＣ磁場を生成するように構成され、ＤＣフィールド・コイルのセットが更に、可調ＤＣ磁気強度を有するように構成される。
【０００４】
[0004]  図面が例示的実施形態だけを表し、従って、特許請求の範囲において、制限するとみなされないことになっていることを理解し、例示的実施形態は、添付の図面を用いることにより付加的な特性および詳細により記載される。
【図面の簡単な説明】
【０００５】
【図１Ａ】[0005]  図１Ａは、内部ＤＣフィールド・コイルを備えたシングルビーム無線周波数原子磁力計の例示的実施形態の断面図を示す。
【図１Ｂ】[0006]  図１Ｂは、内部ＤＣフィールド・コイルを備えたシングルビーム無線周波数原子磁力計の例示的実施形態の断面図を示す。
【図２】[0007]  図２は、典型的なシングルビーム無線周波数原子磁力計システムのブロック線図である。
【図３】[0008]  図３は、シングルビーム無線周波数原子磁力計システムを作動する例示の方法のフローチャートである。
【発明を実施するための形態】
【０００６】
[0009]  低磁場での劣悪なＳ／Ｎ比性能の理由の一部は、それらのより低い磁場強度に関連する無線周波数の共鳴が、数百キロヘルツ（kHz）乃至数メガヘルツ（MHz）の場合、周波数が非常に低く、伝統的な、高磁場NMRおよびMRIのギガヘルツ（GHz）の範囲ではない。ほぼ１  ＭＨｚの周波数レンジの非常に弱いＲＦ信号は、従来のＲＦピックアップ・コイルで極めて効果的に検出されることができない。典型的ＮＱＲ信号は、検出回路の熱雑音より実際に弱い。
【０００７】
[0010]  このために用いられた原子磁力計は、比較的大きく、幾何学的に小型化するのが困難である。直流（DC）磁場に非常に敏感であるが、NMRおよびNQRに関連する無線周波数での磁場に敏感ではないミニチュアの原子磁力計が構築されてきた。
【０００８】
[0011]  図１Ａは、シングルビーム無線周波数磁力計１００の一実施形態の断面図を例示する。シングルビームＲＦ磁力計１００は、レーザー１１０を含んでいる真空パッケージ１０２と、４分の１のウェーブ・プレートおよび（レーザ源が適切な軸に沿って十分に線形に分極化する光を発しない場合）線形偏光子１２０と、蒸気室１３０と、一組のＤＣフィールド・コイル１４０と、光検出器１５０とを備えている。実施形態において、レーザー１１０は、縦型空洞表面放出レーザ（ＶＣＳＥＬ）である。
【０００９】
[0012]  レーザー１１０により発されるレーザビーム１１２のレーザー１１０と光検出器１５０の間の光路に座るように、蒸気室１３０は、構成される。蒸気室１３０は、アルカリ原子のチャンバを含む。実施形態において、カリウム原子は、蒸気室１３０において、用いられる。いくつかの実施形態では、蒸気室１３０も、「バッファ」として作用する他のガスおよびそれらの当業者に知られている「クエンチ」ガスを包含する。これらは、貴ガス（例えばヘリウムまたはアルゴン）および２価分子（例えば窒素（特に「クエンチング・ガス」の役割）を典型的に含む。４分の１ウェーブ・プレートおよび線形偏光子は、レーザビーム１１２を円形に分極化させる。それらの当業者に知られているように、レーザビーム１１２がポンプビームおよびプローブ・ビームとして作用するように、レーザビーム１１２は構成される。従って、レーザビーム１１２は、光学的に蒸気室１３０の原子を励起して、それを徹底的に調べるように構成されるシングルビームである。ＤＣフィールド・コイル１４０のセットは、電気ＤＣバイアスが適用されるときに、レーザビーム１１２の光軸に４５度で正しい位置に置かれる対応するＤＣ磁場が蒸気セルにおいて、つくられるようなものを構成した。
【００１０】
[0013]  作動中、レーザー１１０は固定周波数で保たれる。そして、蒸気室１３０の原子上のローカルＲＦ界の効果により誘導される検出器信号上の変調は検出される。ＲＦ界は、原子のゼーマン低レベルの中の移行を引き起こす効果を有する。
【００１１】
[0014]  ＤＣフィールドの方向が「Ｚ方向」と定義され、ＲＦ磁場が２本の軸の間の角度を二分しているＹ―Ｚ平面にある場合、ＲＦのＺ―コンポーネントはＤＣフィールドＢ０を変調して、「π」偏光により連結される移行がその周波数で共鳴する場合いわゆる「π」移行を引き起こすであろう。しかしながら、一般に、この種の移行はゼーマン低レベルの中で許容されない、そして、このコンポーネントの効果は無視されることがありえる。
【００１２】
[0015]   RF磁場のY成分は、対照的に、左円と右円偏フィールドの重ね合わせであり、減衰の非存在下で、駆動するように結合するように互いに対してゼーマンサブレベルになる傾向があり又は隣接レベル間のラビフロップをポンピングする傾向がある。このラビフロッピングプロセスの間に、磁気モーメントは、z軸周りに（ラーモア歳差運動）を螺旋状にしながら、x軸と負のz軸とy軸の周りに回転する傾向がある。
【００１３】
[0016]  しかしながら、光学フィールドの光励起効果は、この傾向に反対に作用する。結果はラーモア歳差運動が継続する行動であるべきだが、ラビフロップピングと光ポンピングプロセスが定常状態に達する。この定常解の正確な詳細は、ラーモア歳差運動は、むしろ自発よりもRFフィールドにより駆動されているという事実ほど重要ではなく、原子のすべてに共通の相を有する。このため、それは、変調を光学フィールドの振幅に課す。円形偏光に関する選択規則のため、原子によるレーザ光の吸収は、磁気モーメント・ベクトルの方位の関数である。RF場の不在下では、各原子がまだラーモア歳差運動は、個別に、しかし、正味の光信号が存在しないように、これらの歳差運動プロセスのフェーズは、ランダムである。ＲＦは、それが原子に課す位相により検出される。
【００１４】
[0017]  蒸気室１３０の原子はそれらの共振周波数でフィールドだけに影響される、しかし、ＤＣフィールド・コイル１４０により誘導されるＤＣ磁場の強さに応じて、その共振周波数は調整可能である。ＤＣフィールド・コイル１４０に適用される電気ＤＣバイアスを調整することによって、ＤＣ磁場の強さは、変えられることがありえる。かくして、ローカルＲＦの分光器測定値に関しフィールドを許容するために、ＤＣ磁気強度は、さっと払われることがありえる。
【００１５】
[0018]  実施形態において、検出されておよび／または特徴づけられるサンプルを励起するために、励起パルスは、用いてもよい。励起パルスは、ＲＦ電磁パルス（ＥＭ）である。
【００１６】
[0019]  図1Bは、シングルビームRF原子磁力計101の別の実施形態の側面図を示す。真空パッケージ102の外側に位置するDC磁場コイルのセットを除いて、図1Aに上述したように本実施形態は、同じ機能を備えている。シングルビームRF原子磁気センサのこの実施形態の他の構成要素及び動作は、他の点では同一である。
【００１７】
[0020]  図2は、一実施形態による例示的なシングルビームRF原子磁力計システム200を示す。システム２００は、磁気シングルビームＲＦから成る原子磁力計２１０、レーザー、蒸気室、４分の１ウェーブ・プレートおよび直線偏光子、光検出器、そして、一組のＤＣフィールド・コイルから成る。シングルビームRF磁場原子磁力計210は、マイクロプロセッサ222、およびシステムメモリ224を含む計算装置220に結合されている。システム２００はまた、励起プローブ２３０を備える。励起プローブ２３０は、ＮＭＲのようなパルス・シークエンスの励起パルスを発するように構成される。この励起パルスは、磁力計内の原子のための共鳴になるので、励起時にDC電界の大きさを変化させることにより、磁力計を離調し、この出願では推奨され、再び直流磁場の大きさをリセットすることにより期待されるエコー信号の共振に同調する。いくつかの実施形態では、励起パルスに関し周波数レンジは、検出される材料により制限されることができる。他の実施態様において、広範囲にわたる周波数は、励起パルスにおいて、使用されることができる。内部応力、不純物および結晶欠点に影響を受けるローカル電界勾配と同様に、さまざまな材料の共振周波数は、原子自体、分子構造およびジオメトリで測定される。従って、周波数スペクトルは、さまざまな材料（例えば爆発物または他の密輸品）の周波数に関し調整されることができる。励起パルスは、反響パルスを発するために、テストされたサンプル材料を生じさせる。適用された励起パルスの周波数および位相で、反響パルスの予想される周波数および位相は、測定される。この反響パルスは、シングルビーム原子ＲＦ磁力計２１０の検出器信号上の変調を生じさせる。他の実施態様において、励起プローブ２３０は用いられず、サンプルのフィールドがそうであるローカルＲＦによって、生じる変調は単にシングルビームＲＦによって、原子磁力計２１０で検出する。
【００１８】
[0021]  分析装置２２０はマイクロプロセッサ２２２と、システム・メモリ２２４を備える。システム・メモリ２２４は、原子磁力計から検出器信号を読み込み、分析するためにプロセッサ２２２を生じさせている命令と、励起パルスに得られる参照信号を有する検出器を復調すると、サンプルの共振周波数を決定することを備える。この判定から、プロセッサは、サンプルの分子構造を確認して、特徴づけるように構成されることがありえる。
【００１９】
[0022]  表示２４０は、分析装置２２０に任意に連結して、分析が上記（例えばポジティブであるかネガティブな表示、サンプル識別または特徴描写を表示することまたは信号分析の結果としてならを表すその他のこの種の表示）を行ったという検出信号のさまざまな結果として表示するように構成されることがありえる。ディスプレイは、陰極線管（ＣＲＴ）ディスプレイ、アクティブマトリックス液晶ディスプレー（ＬＣＤ）、パッシブマトリックスＬＣＤ、発光ダイオード（ＬＥＤ）ディスプレイまたはプラズマ・ディスプレイであってもよいが、これらに限定されない。それはＬＥＤ照明信号のような単純なインジケータまたは白熱光球でもよく、ポジティブであるかネガティブな結果として示される。
【００２０】
[0023]  図３は、ＮＭＲ／ＮＱＲアプリケーションのシングルビームＲＦ原子磁力計に関する例示の操作方法を例示しているフローチャートである。ブロック３０１で、原子シングルビームＲＦの蒸気室において、アルカリ性原子、磁力計は、円形に分極化するレーザビームによって、光学的にポンプされる。ブロック３０３で、ＤＣ磁場は、光学結合アルカリ原子を含む蒸気室に適用される。ＤＣ磁場は、一組のＤＣフィールド・コイルにより生成される。ＤＣフィールド・コイルにより適用されるＤＣ磁場の強さは、スイープされる。円形に分極化するレーザビームの光軸に４５度角度で整列配置されるＤＣ磁場を適用するように、ＤＣフィールド・コイルは構成される。ＤＣフィールド・コイル上の電気ＤＣバイアスの強さを変えることによって、ＤＣ磁場の強さは、調整されることがありえる。ＤＣ磁場の強さは、蒸気室のポンプ輸送されたアルカリ原子の共振周波数を調整する。ブロック３０５で、テストされるサンプルは、励起パルスにより励起される。実施形態において、励起パルスは、原子磁力計に外部励起プローブにより生成される。励起パルスは、サンプルの原子を励起するために用いるＲＦパルスである。この励起パルスの周波数は、スイープされることができて、周波数のバンドを含むことができる。ブロック３０７で、サンプル（励起パルスによって、サンプルの励起により生成される）からのエコー・パルスは、検波される。エコー・パルスの予想される周波数および位相は、励起パルスの周波数および位相で測定される。典型的に、励起パルスは、５  ＭＨｚ未満である。サンプル（この場合「エコー」パルス）により生成されるローカルＲＦ界は、検出器信号上の変調を誘発する。他の実施形態、パルスが全く用いられるために必要としない励起およびその代わりにシングルビームＲＦにおいて、単に他の手段により生成されるローカルＲＦ界を検出するように、原子磁力計は、構成される。ブロック３０９で、検出器の被変調信号は、励起パルス源に得られる参照信号により復調されることがありえる。かくして、テスト下のサンプルは、サンプル材料の共振周波数に基づいて特徴づけられることがありえる。
【００２１】
例示の実施形態
[0024]  例示の１は、ラジオ周波数原子磁力計は、レーザー、光検出器、蒸気室を有し、蒸気室は、レーザーと光検出器の間にレーザ光の光路にあり、円形の偏光子はレーザーにより発されるレーザ光を円形に分極化させるように構成され、蒸気室の原子のスピンを正しい位置に置かれた状態にポンピングし、蒸気室の原子を探査するように、円形に分極化するレーザビームは構成される。探査することはローカル無線周波数フィールドを検出することを包含する。一組の直流（ＤＣ）フィールド・コイルは、少なくとも一つのＤＣフィールド・コイルから成る。レーザーにより発されて、蒸気室の方向に差し向けられたレーザ光の光軸に対して４５度で方位付けされるＤＣ磁場を生成するように、ＤＣフィールド・コイルのセットは、構成され、ＤＣフィールド・コイルのセットは更に、可調ＤＣ磁気強度を有するように構成される。
【００２２】
[0025]  例示の２は、更に真空パッケージから成っている例示の１のラジオ周波数原子磁力計を包含し、レーザー、光検出器、蒸気室および４分の１ウェーブ・プレートを含んでいる真空パッケージもおよび直線偏光子にも、ＤＣフィールド・コイルのセットは、位置決めされる。
【００２３】
[0026]  例示の３は、更に真空パッケージから成っている例示の１のラジオ周波数原子磁力計を包含し、真空パッケージは、レーザー、光検出器、蒸気室、そして、４分の１ウェーブ・プレートおよび線形偏光子（真空パッケージ外に位置決めされるＤＣフィールド・コイルのセット）を含む。
【００２４】
[0027]  例示の４は、例示の１―３のいずれかのラジオ周波数原子磁力計を包含し、ＤＣフィールド・コイルに適用される電気ＤＣバイアスが掃除されることがありえるように、ＤＣフィールド・コイルのセットは構成され、次々にＤＣ磁気強度をスイープする。
【００２５】
[0028]  例示の５は、例示の１―４のいずれかのラジオ周波数原子磁力計を包含し、蒸気室は、レーザーのレーザ光を有するアルカリ原子を含んでいるセルを備え、ＤＣフィールド・コイルのセットが蒸気室のアルカリ原子に対するＤＣ磁場効果を及ぼすように、ＤＣフィールド・コイルのセットは構成される。
【００２６】
[0029]  例示の６は、例示の１―５のいずれかのラジオ周波数原子磁力計を包含し、円形の偏光子は、直線偏光子を有し、４分の１ウェーブ・プレートを備える。
[0030]  例示の７は、例示の１―６のいずれかの無線周波数原子磁力計を包含し、円形の偏光子によって、円形に分極化するレーザ光は、ポンプビームおよびプローブ・ビームとして構成される。
【００２７】
[0031]  例示の８は、無線周波数原子磁力計システムを包含する原子磁力計は、レーザー、光検出器、蒸気室を有し、蒸気室は、レーザーと光検出器の間にレーザ光の光路にあり、レーザーにより発されるレーザ光を円形に分極化させるように構成される円形の偏光子を更に有し、正しい位置に置かれた状態（蒸気室の原子のスピン）にポンピングし、蒸気室の原子を探査するように、円形に分極化するレーザビームは構成され、探査することは、ローカル無線周波数フィールドを検出することを包含する。一組の直流（ＤＣ）フィールド・コイルは、少なくとも一つのＤＣフィールド・コイルから成り、レーザーにより発されて、蒸気室の方向に差し向けられたレーザ光の光軸に対して４５度で方位付けされたＤＣ磁場を生成するように、ＤＣフィールド・コイルのセットは構成され、ＤＣフィールド・コイルのセットは更に、可調ＤＣ磁気強度を有するように構成され、原子磁力計に接続されたマイクロプロセッサと、非一時的なコンピュータ可読媒体と、を有し、励起プローブが連結した原子磁力計から励起パルスを生じるように構成されるマイクロプロセッサまで信号を示すようにマイクロプロセッサに対する命令を提供するように、コンピュータ可読媒体は、構成される。
【００２８】
[0032]  例示の９は更に、マイクロプロセッサに連結するディスプレイから成る例示の８のシステムを包含する。ディスプレイがテストされているサンプルに関する情報を示すように構成される。
【００２９】
[0033]  例示の１０は例示の９のシステムを包含する。ディスプレイはテストされているサンプルの構成を示す。
[0034]  例示の１１は例示の９―１０のいずれかのシステムを包含する。特定の材料がテストされているサンプルに存在するか否か、ディスプレイは示す。
【００３０】
[0035]  例示の１２は例示の９―１１のいずれかのシステムを包含する。ディスプレイは発光ダイオード、白熱光またはその他のこの種のインジケータのいかなる一つであってもよい。
【００３１】
[0036]  例示の１３は、例示の９―１１のいずれかのシステムを包含する、ディスプレイは、陰極線管（ＣＲＴ）ディスプレイ、アクティブマトリックス液晶ディスプレー（ＬＣＤ）、パッシブマトリックスＬＣＤ、発光ダイオード（ＬＥＤ）ディスプレイまたはプラズマ・ディスプレイのいずれかである。
【００３２】
[0037]  例示の１４は例示の８―１３のいずれかのシステムを包含する。励起パルスはスイープされる。
[0038]  例示の１５は例示の８―１４のいずれかのシステムを包含する。ＤＣ磁気強度はスイープされる。
【００３３】
[0039]  例示の１６は、更に真空パッケージから成っている例示の８―１５のいずれかのシステムを包含する、レーザー、光検出器、蒸気室および４分の１ウェーブ・プレートを含んでいる真空パッケージもおよび直線偏光子にも、ＤＣフィールド・コイルのセットは、位置決めされる。
【００３４】
[0040]  例示の１７は、更に真空パッケージから成っている例示の８―１５のいずれかのシステムを包含する、真空パッケージは、レーザー、光検出器、蒸気室、４分の１ウェーブ・プレートおよび線形偏光子、真空パッケージ外に位置決めされるＤＣフィールド・コイルのセットを含む。
【００３５】
[0041]  例示の１８は、以下から成る無線周波数原子磁力計を作動することに関する方法を包含し、レーザビームを有する蒸気室のアルカリ原子をポンピングするステップと、アルカリ原子にレーザビームの光軸に４５度で方位付けされたＤＣフィールド・コイルを用いている直流（ＤＣ）磁気フィールドを適用するステップと、励起パルスでサンプルを励起するステップと、エコー・パルスによって、生じる検出器信号の変調を検出するステップと、エコー・パルスは、サンプルに適用される励起パルスによって、生じるサンプルから生じ、検出器信号は、蒸気室のアルカリ原子を励起するために用いるレーザビームの測定値であり、励起パルスから得られる参照信号で検出器信号を復調するステップと
を有することを特徴とする。
【００３６】
[0042]  例示の１９は、例示の１８の方法を包含し、ローカル無線周波数フィールドによって、生じる検出器信号の変調を検出するステップであって、ローカル無線周波数フィールドがサンプルから生じることを特徴とするステップと、ローカル無線周波数フィールドを検出するために検出器信号を復調するステップと、を有する。
【００３７】
[0043]  例示の２０は請求項１８―１９のいずれかの方法を包含する。ＤＣフィールド・コイルの電気ＤＣバイアスはスイープされる。
【図１Ａ】
2015004677.tif 000003
【図１Ｂ】
2015004677.tif 000004
【図２】
2015004677.tif 000005
【図３】
2015004677.tif 000006
【外国語明細書】
2015004677000001.pdf